(57)【特許請求の範囲】
【請求項１】
窓枠フレーム（１０）にスライド開閉可能に設置される少なくとも一対の障子（２０）のいずれか１つの障子（２１）に設置されるハウジング（６１１）と、
前記ハウジング（６１１）の内部に設置されている駆動モータ（６１３）と、
ギヤ列（６１５）を介して前記駆動モータ（６１３）の回転軸と連動可能な状態で回転可能とされるシャフト（６１７）と、
前記ギヤ列（６１５）と前記シャフト（６１７）とを互いに接続することによって前記ギヤ列（６１５）が前記シャフト（６１７）と係合されるように構成されているクラッチギヤ（６１９）であって、選択的に動力を伝達させるために、前記シャフト（６１７）の同一軸線上で軸線方向にスライドして往復運動可能とされ、一方の側において弾性部材（６１８）を介して弾性支持されている前記クラッチギヤ（６１９）と、
前記ハウジング（６１１）に結合されているカバー（６２１）と、
を備えているリフティング装置用ハンドル駆動部において、
前記カバー（６２１）が係合された場合に、前記ギヤ列（６１５）と前記シャフト（６１７）とを接続するために、前記クラッチギヤ（６１９）が、強制的に他方の側に移動され、
前記カバー（６２１）が取り外された場合に、前記クラッチギヤ（６１９）が、前記ギヤ列（６１５）と前記シャフト（６１７）との接続を解除するために、弾性部材（６１８）の弾性復元力によって、前記軸線方向に一方の側に向かって移動され、前記シャフト（６１７）と同軸とされる位置に嵌合されているハンドル（Ｈ）を介して、手動で回転操作可能とされることを特徴とするリフティング装置用ハンドル駆動部。
【請求項２】
前記クラッチギヤ（６１９）の一方の軸線方向表面には、第１スピンドル（６２３）が設けられており、前記第１スピンドル（６２３）が、軸線方向に沿ってスライド可能とされるように、且つ、前記シャフト（６１７）と一体に回転するように、前記シャフト（６１７）の嵌合孔（６１７ａ）に結合されており、
前記クラッチギヤ（６１９）の他方の軸線方向表面の上には、第２スピンドル（６２５）が設けられており、前記第２スピンドル（６２５）の一方の端部が、空転可能に結合されており、前記ハンドル（Ｈ）が、前記第２スピンドル（６２５）の端部に取り付けられており、
前記第２スピンドル（６２５）の他方の端部の側部が、前記第２スピンドル（６２５）が回転部材（６２７）と一体に回転するように前記ハウジング（６１１）に回転可能に結合されている、前記回転部材（６２７）の軸孔（６２７ａ）にスライド可能に結合されており、
前記クラッチギヤ（６１９）の他方の軸線方向表面には、嵌合突部（６１９ａ）が設けられており、前記カバー（６２１）が分離された場合に、前記クラッチギヤ（６１９）が軸線方向において一方の側に移動し、前記回転部材（６２７）の接面に設けられている嵌合溝部（６２７ｂ）に嵌合及び固定され、これにより前記第１スピンドル（６２３）と第２スピンドル（６２５）とが一体に回転される、請求項１に記載のリフティング装置用ハンドル駆動部。
【請求項３】
前記カバー（６２１）が、一方の側においてスライドすることによって又はヒンジ軸を中心として回転する旋回することによって開閉可能とされるように、前記ハウジング（６１１）に結合されている、請求項１に記載のリフティング装置用ハンドル駆動部。
【請求項４】
前記ハンドル（Ｈ）が、前記カバー（６２１）が分離された場合に前記ハンドル（Ｈ）が装着溝（６１２）から選択的に取り出し可能とされるように、前記ハウジング（６１１）に設けられている装着溝（６１２）に埋設されている、請求項１に記載のリフティング装置用ハンドル駆動部。
【請求項５】
自動／手動切替構造を有しているリフティング装置であって、リフトスライディング障子（２１）をレールの上にリフトさせるためのリフティング装置において、
請求項１〜４のいずれか一項に記載のハンドル駆動部（６１０）と、
前記ハンドル駆動部（６１０）のシャフト（６１７）及びギヤモジュール（６３０）を介して伝達される動力によって上下に移動可能とされるように設置されている作動ロッド（６３１）と、
垂直運動を水平運動に転換するために、前記作動ロッド（６３１）に連結されていると共に前記リフトスライディング障子（２１）の下側角部に設置されている連結リンク（６３３）と、
前記連結リンク（６３３）に連結されていると共に、前記リフトスライディング障子（２１）の底面に長手方向に沿ってスライド可能に設置されているスライダ（６４０）であって、前記ハンドル駆動部（６１０）の動作の際に、前記スライダ（６４０）の内部に設けられた案内シャフト（６４１）が、前記リフトスライディング障子（２１）をレールの上にリフトするために、傾斜面に沿って移動する、前記スライダ（６４０）と、
前記レールの上に載置されるように、前記スライダ（６４０）の下部に回動可能に結合されているローラ（６５０）と、
を備えている、リフティング装置。
【請求項６】
レールを有している窓枠フレーム（１０）と、
前記レールにスライド可能に結合されているリフトスライディング障子（２１）であって、開放動作の際に、請求項５に記載のリフティング装置（６００）の動作によって、レール上に自動的にリフトされる前記リフトスライディング障子（２１）と、
前記リフトスライディング障子（２１）を自動的に開閉するための自動開閉装置（１００）であって、前記リフトスライディング障子（２１）に設置され、駆動モータ（１１０）から伝達される動力によって回転される駆動ローラ（１２０）の外周面が隣接して設置されている固定障子（２３）の一方の表面と接触するように、前記リフトスライディング障子（２１）を自動的に開閉する前記自動開閉装置（１００）と、
を備えている、スマート建具。
【請求項７】
前記自動開閉装置（１００）は、前記一対の障子（２０）が互いに合わされる召合せ框（２１ａ）の内部の上部又は下部、又は上部及び下部の両方に設置されている、請求項６に記載のスマート建具。
【請求項８】
前記自動開閉装置（１００）は、前記リフトスライディング障子（２１）の手動開閉操作が可能なように、前記駆動モータ（１１０）のシャフト（１１１）上に設置されて前記駆動ローラ（１２０）に伝達される動力を選択的に遮断する電磁クラッチ（１３０）を含む、請求項６に記載のスマート建具。
【請求項９】
前記スマート建具は、前記自動開閉装置（１００）を使用者の無線通信端末機（５１０）を用いて選択的に制御すると共に、前記無線通信端末機（５１０）上に障子（２０）の開閉状態をリアルタイムで表示する制御部（５００）を含む、請求項６に記載のスマート建具。
【請求項１０】
前記ハンドル駆動部（６１０）には、前記リフトスライディング障子（２１）を自動開閉させるように前記自動開閉装置（１００）を制御するための左ボタン、右ボタン、及び停止ボタン（Ｂ）が備えられている、請求項６に記載のスマート建具。
【発明の詳細な説明】
【技術分野】
【０００１】
本発明は、障子を自動で開閉できるスマート建具に関し、より詳細には、リフトスライディング方式のスマート建具を自動で開閉できることは勿論、手動に切り替えて開閉させることができ、ケース上に自動開閉ボタンが備えられて簡単なボタン操作のみで障子を開閉させることができる自動／手動切替構造が備えられたリフティング装置及びそれを含むスマート建具に関する。
【背景技術】
【０００２】
一般に、建具は、室内と室外を隔離させる壁体の役割を果たすと同時に、陽光と外部の新鮮な空気を流入させて室内換気を可能にする役割を果たす。
【０００３】
このような建具は、材質又は開き方式によって様々な種類に区分することができ、開き方式によっては、障子を内側に大きく開き、閉じることができるチルトアンドターン（Ｔｉｌｔ  ＆  Ｔｕｒｎ）方式と、リフト機能のハードウェアを用いて開閉時に障子がレールの上に持ち上げられて動くリフトスライディング（Ｌｉｆｔ  Ｓｌｉｄｉｎｇ）方式などがある。
【０００４】
そのうち、リフトスライディング方式は、固定窓を置いて、固定窓の一側又は両側が開かれる方式で構成されている。このようなリフトスライディング建具に対して従来に特許文献１として先出願されている。
【０００５】
より具体的に、前記リフトスライディング建具は、窓枠に設置される固定窓、及び窓枠の上、下部に形成されたレールに沿って左右に移動しながら開閉される障子からなる基本的な構成以外にも、ロック及び障子を上下又は水平方向に移動させて気密性を確保するハードウェアが設置される。
【０００６】
このような構成のリフトスライディング（Ｌｉｆｔ  ｓｌｉｎｄｉｎｇ）建具は、障子を開放するために取っ手を回す場合、昇降手段を含むハードウェアの動作を通じて障子がレールから一定の高さだけ持ち上げられ、このような状態で障子が水平移動することによって静かでかつスムーズに開かれる。そして、障子が閉じた状態では、障子とレールが密着して気密性、水密性、及び断熱性などを確保できるようになる。
【０００７】
このようなリフトスライディング建具は、電動アクチュエータを作動させて建具を自動でリフトする構造が適用されたりする。しかし、このようなリフトスライディング建具は、電動アクチュエータの故障時には建具をリフトさせることができないなどの問題がある。
【０００８】
一方、このような建具は、居間やバルコニー窓などの比較的大型建具に適用されて使用されているが、その大きさに比べて手動で作動させなければならないため、開閉時に多くの力が必要となる。したがって、障子を自動で開閉できるように駆動手段によって回転するスクリュー軸を介して障子をスライド開閉し得る自動開閉装置が特許文献２として先出願されている。
【０００９】
なお、最近は、建具の単純な開閉機能のみならず、使用者の便宜のために障子の自動開閉、換気、防犯システムなどを結びつけた建具システムが提案されている。
【００１０】
しかし、このような障子の自動開閉装置や換気装置などはほとんど、使用者が室内でリモコンなどで近距離で直接操作しなければならない方式である。
【００１１】
したがって、使用者が外出した場合、換気装置の作動及び障子の開閉有無が気になったり、又は急な雨天時に開放された障子を閉じなければならない状況などで不便を体験する場合がほとんどである。
【先行技術文献】
【特許文献】
【００１２】
【特許文献１】韓国公開特許第１０−２００６−００２５３８９号
【特許文献２】韓国登録特許第１０−０９１５９５２号
【発明の概要】
【発明が解決しようとする課題】
【００１３】
本発明は、上述した問題点を解決するために案出されたもので、リフトスライディング方式のスマート建具を自動で開閉できることは勿論、手動に切り替えて開閉させることができ、ハンドル駆動部の表面に自動開閉ボタンが備えられて簡単なボタン操作のみで障子を開閉させることができるようにした自動／手動切替構造が備えられたリフティング装置及びそれを含むスマート建具を提供することにその目的がある。
【課題を解決するための手段】
【００１４】
上述したような目的を具現するための本発明に係るリフティング装置用ハンドル駆動部は、窓枠フレームにスライド開閉可能に設置される少なくとも一対の障子のいずれか１つの障子に設置されるハウジングと；前記ハウジング内に設置される駆動モータと；前記駆動モータの回転軸にギヤ列を介して連動回転可能に結合されるシャフトと；前記ギヤ列とシャフトとの間に噛合されて互いに連結させ、選択的に動力を連結できるように前記シャフトの同一軸線上に軸線方向に沿ってスライド往復移動可能に結合されると共に、弾性部材によって一側に弾性支持されるクラッチギヤと；前記ハウジングに結合されるカバーと；を含み、前記カバーの結合時に前記クラッチギヤが他側軸線方向に加圧移動しながら前記ギヤ列とシャフトとを連結し、前記カバーの分離時に前記クラッチギヤが弾性部材の弾性復元力によって一側軸線方向に移動しながら前記ギヤ列とシャフトとの連結を遮断すると共に、前記シャフトの同一軸線上にハンドルを嵌合して手動で回転操作できるようにしたことを特徴とする。
【００１５】
この場合、前記クラッチギヤの一方の軸線方向表面の上には、前記シャフトの嵌合孔内に軸線方向に沿ってスライド可能に結合されると共に、前記シャフトと一体に回転する第１スピンドル；が備えられ、前記クラッチギヤの他方の軸線方向表面の上には、一方の端部が空転可能に結合され、他方の端部に前記ハンドルが装着される第２スピンドル；が結合され、前記第２スピンドルの他側は、前記ハウジングに回転可能に結合された回転部材の軸孔にスライド可能に結合されると共に、前記回転部材と一体に回転し、前記クラッチギヤの他方の表面には、前記カバーの分離時に前記クラッチギヤが一側軸線方向に移動しながら前記回転部材の接面に備えられた嵌合溝部に嵌合固定されて、前記第１スピンドルと第２スピンドルを一体に回転させる嵌合突部；が備えられたことをさらに含む。
【００１６】
また、前記カバーは、前記ハウジングにスライド開閉、又は一側にヒンジ軸を介して旋回開閉可能に結合されたことをさらに含む。
【００１７】
また、前記ハンドルは、前記ハウジング内に備えられた装着溝に埋設され、前記カバーの分離時に装着溝から選択的に引き出して使用できるようにしたことをさらに含む。
【００１８】
リフトスライディング障子をレール上にリフトさせるリフティング装置であって、ハンドル駆動部と；前記ハンドル駆動部のシャフト及びギヤモジュールを介して動力が伝達されて上下に移動可能に設置される作動ロッドと；前記作動ロッドに連結され、前記障子の下側角部に設置されて垂直運動を水平運動に転換する連結リンクと；前記連結リンクと連結されると共に、前記障子の底面の長手方向に沿ってスライド可能に設置されて、前記ハンドル駆動部の作動時に内部の案内シャフトが傾斜面に沿って移動しながら前記障子をレール上に昇降させるスライダと；前記スライダの下部に回動可能に結合されて前記レール上に載置されるローラと；を含む。
【００１９】
前記リフティング装置を含むスマート建具であって、レールが備えられる窓枠フレームと；前記レールにスライド可能に結合され、開放動作時にリフティング装置を介してレール上で自動でリフティング作動するリフトスライディング障子と；前記障子に設置され、駆動モータの動力が伝達されて回転する駆動ローラが隣接設置された固定障子の一方の表面に外周面が当接するように設置されて前記障子を自動で開閉させる自動開閉装置と；を含む。
【００２０】
また、前記自動開閉装置は、前記一対の障子が互いに合わされる召合せ框内の上部又は下部、又は上・下部の両方に設置されたことをさらに含む。
【００２１】
また、前記自動開閉装置は、前記障子の手動開閉操作が可能なように、前記駆動モータのシャフト上に設置されて前記駆動ローラに伝達される動力を選択的に遮断する電磁クラッチをさらに含む。
【００２２】
また、前記スマート建具は、前記自動開閉装置を使用者の無線通信端末機を用いて選択的に制御すると共に、前記無線通信端末機上に障子の開閉状態をリアルタイムで表示する制御部をさらに含む。
【００２３】
また、前記ハンドル駆動部には、前記自動開閉装置を制御して前記障子を自動開閉させることができる左／右／停止ボタンが備えられたことをさらに含む。
【発明の効果】
【００２４】
以上のような構成の本発明に係る自動／手動切替構造が備えられたリフティング装置及びそれを含むスマート建具は、端末機の表示窓を介して様々な機能が備えられた建具の現在の状態をリアルタイムでモニタすることができることは勿論、様々な機能を場所に拘らずに個別／統合的に制御することができる。
【００２５】
特に、リフティング装置及び自動開閉装置を用いてリフトスライディング方式のスマート建具を自動で開閉できることは勿論、手動に切り替えて開閉させることができる。
【００２６】
また、前記ハンドル駆動部のハウジングの表面には左／右／停止ボタンが備えられることによって、簡単なボタン操作のみで障子を自動開閉させることができるという利点がある。
【図面の簡単な説明】
【００２７】
【図１】本発明に係るスマート建具の斜視図である。
【図２】本発明に係るスマート建具の室内側立面図である。
【図３】本発明に係るハンドル駆動部の要部拡大図である。
【図４】本発明に係るハンドル駆動部の分解斜視図である。
【図５】本発明に係るハンドル駆動部の内部構造を示す側断面図である。
【図６】本発明に係るハンドル駆動部の要部の構成を示す分解斜視図である。
【図７Ａ】本発明に係るハンドル駆動部の作動状態図である。
【図７Ｂ】本発明に係るハンドル駆動部の作動状態図である。
【図８】本発明に係るハンドル駆動部の作動状態図である。
【図９】本発明に係る自動開閉装置の構成を示す側断面図である。
【図１０】本発明に係るスマート建具の全体構成図である。
【発明を実施するための形態】
【００２８】
以下、添付の図面を参照して、本発明の好ましい実施例に対する構成及び作用を詳細に説明すると、次の通りである。
【００２９】
ここで、各図面の構成要素に対して参照符号を付加するにおいて、同一の構成要素に限っては、たとえ他の図面上に表示されても、可能な限り同一の符号で表記されたことに留意しなければならない。
【００３０】
図１は、本発明に係るスマート建具の斜視図であり、図２は、本発明に係るスマート建具の室内側立面図である。
【００３１】
図１及び図２を参照すると、本発明の好ましい一実施例に係るスマート建具１は、窓枠フレーム１０と、リフティング装置６００を介して自動でリフティング作動するリフトスライディング障子２１と、リフトされた障子２１を自動で開閉させる自動開閉装置１００とを含む。
【００３２】
このような本発明の構成について具体的に説明すると、次の通りである。
【００３３】
窓枠フレーム１０は、リフトスライディング建具の主な外郭フレームを構成するもので、内部の上下接面には、少なくとも一対の障子２０がスライド開閉可能に結合できるように長手方向に沿ってレール（図示せず）が備えられる。
【００３４】
図２及び図３を参照すると、リフトスライディング障子２１は、開閉動作時にリフティング装置６００によってレール上で自動で一定の高さだけリフトされた後、水平方向に開閉されるもので、障子２１の下部には、閉操作時に窓枠フレーム１０の内面と密着して気密を維持させるガスケット（又はモヘアなど）を備えることができる。
【００３５】
具体的に、リフティング装置６００は、ハンドル駆動部６１０と、前記ハンドル駆動部６１０の動力がギヤモジュール６３０（一例として、ラックとピニオンギヤ）を介して伝達されて上下に移動可能に設置される作動ロッド６３１と、前記作動ロッド６３１に連結され、障子２１の下側角部に設置されて垂直運動を水平運動に転換する連結リンク６３３と、前記連結リンク６３３と連結されると共に、障子２１の底面の長手方向に沿ってスライド可能に設置されて、ハンドル駆動部６１０の作動時に、内部に備えられた案内シャフト６４１が昇降ブロック６４３の傾斜した案内長孔６４３ａを押し上げたり、押し下げたりする動作によって障子２１をレール上に昇降させるスライダ６４０と、前記スライダ６４０の下部に回動可能に備えられてレール上に載置されるローラ６５０とを含むことができる。
【００３６】
図４を参照すると、前記ハンドル駆動部６１０は、窓枠フレーム１０にスライド開閉可能に設置される少なくとも一対の障子２０のいずれか１つの障子２１に設置されるハウジング６１１と、前記ハウジング６１１内に設置される駆動モータ６１３と、前記駆動モータ６１３の回転軸にギヤ列６１５を介して連動回転可能に結合されるシャフト６１７と、前記ギヤ列６１５とシャフト６１７との間に噛合されて互いに連結させ、選択的に動力を連結できるようにシャフト６１７の同一軸線上に軸線方向に沿ってスライド往復移動可能に結合されると共に、弾性部材６１８によって一側に弾性支持されるクラッチギヤ６１９と、前記ハウジング６１１に結合されるカバー６２１とを含むことができる。
【００３７】
この場合、前記カバー６２１は、ハウジング６１１にスライド開閉、又は一側にヒンジ軸を介して旋回開閉可能に結合されてもよい。
【００３８】
また、前記ハンドルＨは、ハウジング６１１内に備えられた装着溝６１２に埋設され、カバー６２１の分離時に装着溝６１２から選択的に引き出して使用することができる。
【００３９】
図５及び図６を参照してより具体的に説明すると、前記クラッチギヤ６１９の一方の軸線方向表面の上には、シャフト６１７の嵌合孔６１７ａ内に軸線方向に沿ってスライド可能に結合されると共に、前記シャフト６１７と一体に回転する第１スピンドル６２３が備えられる。この場合、第１スピンドル６２３は、多角柱状に形成されることによって、嵌合孔６１７ａ内にスライド可能に結合されてもシャフト６１７と一体に回転することができる。
【００４０】
図７Ａを参照すると、前記クラッチギヤ６１９の他方の軸線方向表面の上には、一方の端部６２５ａが空転可能に結合され、他方の端部６２５ｂに前記ハンドルＨが選択的に装着される、第２スピンドル６２５が結合される。第２スピンドル６２５の他側は、ハウジング６１１に回転可能に結合された回転部材６２７の軸孔６２７ａにスライド可能に結合されると共に、前記回転部材６２７と一体に回転する。
【００４１】
すなわち、前記第２スピンドル６２５の一方の端部６２５ａは、円柱状に形成されてクラッチギヤ６１９と空回りされ、第２スピンドル６２５の他方の端部６２５ｂは、多角柱状に形成されることによって、軸孔６２７ａ内にスライド可能に結合されても回転部材６２７と一体に回転することができる。
【００４２】
このような構造のハンドル駆動部６１０は、カバー６２１の結合時にクラッチギヤ６１９が他側軸線方向に加圧移動しながらギヤ列６１５とシャフト６１７とを連結させるようになる。
【００４３】
図７Ｂを参照すると、逆に、前記カバー６２１の分離時には、クラッチギヤ６１９が弾性部材６１８の弾性復元力によって一側軸線方向に移動しながら、前記ギヤ列６１５とシャフト６１７との連結を遮断させるようになる。
【００４４】
すなわち、前記クラッチギヤ６１９の他方の表面には嵌合突部６１９ａが備えられる。嵌合突部６１９ａは、カバー６２１の分離時にクラッチギヤ６１９が弾性部材６１８の弾性復元力によって一側軸線方向に移動しながら、前記回転部材６２７の接面に備えられた嵌合溝部６２７ｂに嵌合固定される。したがって、自動モード時に連結が遮断されていた第１スピンドル６２３と第２スピンドル６２５が、手動モード時に互いに連結されて一体に回転できるようになる。
【００４５】
図８を参照すると、手動モード時には、第２スピンドル６２５の他方の端部６２５ｂが外側に露出し、露出した第２スピンドル６２５の他方の端部６２５ｂにハンドルＨを嵌合することによって、結局、前記シャフト６１７を手動で回転操作できるようになる。
【００４６】
再び図２及び図９を参照すると、自動開閉装置１００は、少なくとも一対の障子２０のうちスライド開閉されるいずれか１つの障子２１に設置され、障子２１を自動で開閉させる役割を果たす。前記自動開閉装置１００は、一対の障子２０が互いに合わされる召合せ框２１ａ内の上部又は下部、又は上・下部の両方に設置されてもよい。本発明では、前記自動開閉装置１００が召合せ框２１ａ内の上・下部にそれぞれ設置された場合の一例を挙げて図示し、説明する。
【００４７】
前記自動開閉装置１００は、スライド開閉される障子２１の召合せ框２１ａ内に設置される駆動モータ１１０と、前記駆動モータ１１０の動力が伝達されて回転し、隣接設置された固定障子２３の一方の表面２３ａに外周面が当接するように設置されて障子２１をスライド開閉させる駆動ローラ１２０とを含むことができる。
【００４８】
なお、前記自動開閉装置１００は、障子２１を手動又は自動で開閉できるように切り替える電磁クラッチ１３０をさらに含むことができる。電磁クラッチ１３０は、駆動モータ１１０と駆動ローラ１２０を連結するシャフト１１１上に設置されて、駆動ローラ１２０に伝達される動力を選択的に遮断するもので、停電や機器の故障時にいつでも障子２１を手動に切り替えて開放することができる。
【００４９】
電磁クラッチ１３０の作動原理について具体的に説明すると、駆動モータ１１０の回転軸に一体に結合された第１ギヤ１１３が備えられ、第１ギヤ１１３は、第２ギヤ１１５と噛み合わされてシャフト１１１を回転させる方式で駆動ローラ１２０を駆動させる。このとき、前記第２ギヤ１１５は、シャフト１１１上に空転可能に結合された状態である。そして、シャフト１１１の同一軸線上には、電磁クラッチ１３０が第２ギヤ１１５と並列に結合される。電磁クラッチ１３０は、シャフト１１１と一体に結合されて回転するもので、内部には電磁石（図示せず）が備えられる。
【００５０】
したがって、前記電磁クラッチ１３０の電磁石に電流を印加すると、磁力によって、隣接して設置された第２ギヤ１１５が電磁クラッチ１３０に付いて一体に回転するようになり、これによって、駆動モータ１１０の動力を駆動ローラ１２０に伝達して障子２１を自動で開閉できるようになる。
【００５１】
逆に、電磁石に流れていた電流を遮断すると、電磁クラッチ１３０と第２ギヤ１１５とが離れることになり、駆動ローラ１２０に伝達されていた駆動モータ１１０の動力が遮断される。したがって、停電又は自動開閉装置１００の故障時に障子２１の円滑な手動開閉が可能になる。
【００５２】
この場合、前記第１ギヤ１１３及び第２ギヤ１１５は、スパーギヤで構成されても構わないが、発生する騒音を低減させることができるようにヘリカルギヤを使用することが好ましい。
【００５３】
前記駆動ローラ１２０は、外周面が当接するようになる障子２３との密着力を向上させることができるようにゴム又はウレタン材質で形成されてもよい。
【００５４】
なお、駆動ローラ１２０の外周面には、障子２３の一方の表面２３ａとの接触時に摩擦力を付与できるように、複数の凹凸溝１２１が一定間隔で離隔して形成されてもよい。
【００５５】
また、前記駆動ローラ１２０の外周面と当接する障子２３の一方の表面２３ａには、駆動ローラ１２０の最初の駆動時にスリップ現象を防止できるように、凹凸溝１２１と噛み合う凹凸パッド１２３が備えられてもよい。凹凸パッド１２３は、障子２３の一方の表面２３ａの開閉される方向に沿って全面積に形成されてもよいが、停止していた駆動ローラ１２０を最初に駆動させる所定区間にのみ適用されてもよいことは勿論である。
【００５６】
前記自動開閉装置１００は、障子２１の閉動作を確認できないままその間を通過する人や物体が感知される場合、駆動モータ１１０の作動を直ちに停止させることができるように安全センサ１４０をさらに備えることができる。安全センサ１４０は、召合せ框２３ａ、又は障子２１の閉鎖時のその先端に設置されてもよい。本発明では、召合せ框２３ａに設置された場合の一例を挙げて説明する。
【００５７】
前記のような本発明に係るスマート建具１は、自動開閉装置１００以外にも、自然換気部２００、光調節部３００、開閉通知部４００、及び諸構成要素１００，２００，３００，４００，６００を制御する制御部５００（図１０参照）をさらに備えることができる。
【００５８】
自然換気部２００は、障子２０に設置されて室内の空気を換気させるもので、このような自然換気部２００は、少なくとも一対の障子２０のうち開閉されない固定障子２３に設置されることが好ましい。
【００５９】
この場合、前記自然換気部２００は、室内空気中に含まれた二酸化炭素の濃度を測定する二酸化炭素センサ２１０を含むことができる。これによって、前記二酸化炭素センサ２１０で測定された測定値が基準値を超える場合、自然換気部２００を自動で作動させることができる。
【００６０】
この場合、前記自然換気部２００に使用される建具用換気装置に対しては、本出願人によって出願された大韓民国登録特許第１０−１２７４８３８号、登録特許第１０−１２５９６７１号、登録特許第１０−１２６０５６４号、登録特許第１０−１３０１８１１号、登録特許第１０−１２９３８５２号、登録特許第１０−１３０７６４５号、登録特許第１０−１４３３４３７号、登録特許第１０−１２９３８４６号、登録特許第１０−１２９２３６５号、登録特許第１０−１３３０４４７号、登録特許第１０−１２５２９０６号、登録特許第１０−１２７２９９４号、登録特許第１０−１３３８５４７号、登録特許第１０−１２７３０１９号、登録特許第１０−２９３８０２号、登録特許第１０−１２６３９９１号、及び登録特許第１０−１２５４４１３号のいずれか１つを適用して使用することができる。勿論、これに限定されるものではなく、一般的に建具に使用される換気装置を適用して使用してもよい。このような建具用換気装置についての詳細な作動原理などの説明は省略する。
【００６１】
光調節部３００は、障子２０に備えられたガラスの一部又は全体に設置されて、ガラスの光透過率を透明又は不透明状態に切り替える役割を果たすもので、通常、「マジックガラス（ｍａｇｉｃ  ｇｌａｓｓ）」とも呼ばれる。
【００６２】
光調節部３００に使用されるマジックガラスは、２枚のガラスの間にＩＴＯフィルム及び液晶を共に入れて圧着した接合ガラス構造である。このような光調節部は、マジックガラスに電圧を印加することによって、ＩＴＯフィルムの間に分子の配列が変化して瞬間的に不透明状態から透明状態に切り替えることができ、電圧の変化によって透明度の変化を自由に演出することができる。
【００６３】
電圧が印加されていない状態では棒状の分子として表される液晶は、カプセルの内壁に沿って整列する。この状態でマジックガラスに入射した光は、高分子と液晶の屈折率の差及び液晶の複屈折性によって、カプセルの表面や内部で屈折する。その結果、光は直進できずに散乱して不透明に見える。
【００６４】
電圧が印加されると、液晶分子が電圧を印加した方向と平行になろうとする特性のため、電極に対して垂直方向に配列される。このような配列状態で、屈折率が高分子の屈折率と一致する液晶であれば、カプセルの界面がないものと同一になり、光は散乱せずに直進するようになる。したがって、マジックガラスは透明に見える。
【００６５】
前記のような構造の光調節部３００は、障子２０のガラスの全体に適用されるか、又は前記障子２０のガラスの上下、左右方向に沿って複数に分割されて透明／不透明状態に選択的な制御が可能である。
【００６６】
開閉通知部４００は、建具１に設置され、障子２１が開閉されたか否かをリアルタイムで感知する感知センサ４１０を含む。
【００６７】
この場合、前記感知センサ４１０は、スライド開閉される障子２１と窓枠フレーム１０に互いに対応するように取り付けられて前記障子２１が開閉されたか否かを感知する少なくとも一対の磁石式センサで構成されてもよい。
【００６８】
具体的に、前記感知センサ４１０は、開閉される障子２１の上部、及びそれに対応する窓枠フレーム１０の接面に埋設された態様で設置されてもよい。勿論、これに限定されるものではなく、障子２１が強制開閉されたか否かを容易に感知できる位置であれば、多様に変更して適用可能である。
【００６９】
制御部５００は、前記諸構成要素１００，２００，３００，４００，６００を、使用者の無線通信端末機５１０を用いて時と場所に拘らずに各機能を個別／統合制御すると共に、無線通信端末機５１０の表示窓上に前記諸構成要素の状態をリアルタイムで表示する。
【００７０】
具体的に、制御部５００は、無線通信を用い、無線信号がゲートウェイ（ｇａｔｅｗａｙ）に伝達された後、インターネットを介して端末機５１０のアプリケーションと接続される方式である。
【００７１】
この場合、前記無線通信はＲＦ通信方式を用いることが好ましい。勿論、これに限定されるものではなく、近距離通信をサポートするジグビー（ｚｉｇｂｅｅ）無線通信を適用して使用することができる。参考に、ジグビー無線通信は、近距離通信をサポートするＩＥＥＥ  ８０２．１５．４標準の一つをいう。家庭、事務室などの無線ネットワーキング分野において１０〜２０ｍ前後の近距離通信とユビキタスコンピューティングのための技術である。すなわち、ジグビーは、携帯電話や無線ＬＡＮの概念で、既存の技術と異なる特徴は、電力消耗を最小化する代わりに少量の情報を疎通させる概念である。
【００７２】
この場合、本発明では、無線通信としてＲＦ通信（ＲＦ  ４４７ＭＨｚ通信方式）やジグビー無線通信を適用した場合の一例を挙げて説明したが、これに限定されず、前記無線通信は、ブルートゥース（登録商標）、Ｚ−ｗａｖｅ、ワイファイ（Ｗｉ−ｆｉ）、ワイブロ、及びＮＦＣ（Ｎｅａｒ  Ｆｉｅｌｄ  Ｃｏｍｍｕｎｉｃａｔｉｏｎ）のいずれか１つを選択的に用いることもできる。
【００７３】
なお、前記端末機５１０は、携帯し易く、当該アプリケーションのインストールが簡便なスマートフォンを使用することが好ましい。前記スマートフォン以外に、タブレットＰＣ、携帯電話、デスクトップコンピュータ、ノートパソコン、タブレットノートパソコン、及びＰＤＡのいずれか１つを使用することができることは勿論である。
【００７４】
このような構成の本発明に係るスマート建具１は、端末機５１０の表示窓を介して、様々な機能が備えられた建具１の現在の状態をリアルタイムでモニタすることができることは勿論、様々な機能を場所に拘らずに個別／統合的に制御することができる。
【００７５】
特に、リフティング装置６００を用いてリフトスライディング方式のスマート建具を自動で開閉できることは勿論、手動に切り替えて開閉させることができる。
【００７６】
また、前記ハンドル駆動部６１０のハウジング６１１の表面には、自動開閉装置１００及びリフティング装置６００を制御して障子２１を自動開閉させることができる左／右／停止ボタンＢを備えることができる。
【００７７】
以上では、本発明を特定の好ましい実施例を挙げて図示し、説明したが、本発明は、前記の実施例に限定されず、本発明の技術思想を逸脱しない範囲内で様々な変更及び修正が可能であることは勿論である。
【符号の説明】
【００７８】
１：建具
１０：窓枠フレーム
２０：障子
２１：スライド障子
２１ａ：召合せ框
２３：固定障子
１００：自動開閉装置
１１０：駆動モータ
１１１：シャフト
１１３：第１ギヤ
１１５：第２ギヤ
１２０：駆動ローラ
１２１：凹凸溝
１２３：凹凸パッド
１３０：電磁クラッチ
１４０：安全センサ
２００：自然換気部
２１０：二酸化炭素センサ
３００：光調節部
４００：開閉通知部
４１０：感知センサ
５００：制御部
５１０：端末機
６００：リフティング装置
６１０：ハンドル駆動部
６１１：ハウジング
６１２：装着溝
６１３：駆動モータ
６１５：ギヤ列
６１７：シャフト
６１７ａ：嵌合孔
６１８：弾性部材
６１９：クラッチギヤ
６１９ａ：嵌合突部
６２１：カバー
６２３：第１スピンドル
６２５：第２スピンドル
６２７：回転部材
６２７ａ：軸孔
６２７ｂ：嵌合溝部
Ｂ：左／右／停止ボタン
Ｈ：ハンドル
【図１】
0006692412.tif 000002
【図２】
0006692412.tif 000003
【図３】
0006692412.tif 000004
【図４】
0006692412.tif 000005
【図５】
0006692412.tif 000006
【図６】
0006692412.tif 000007
【図７ａ】
0006692412.tif 000008
【図７ｂ】
0006692412.tif 000009
【図８】
0006692412.tif 000010
【図９】
0006692412.tif 000011
【図１０】
0006692412.tif 000012